(57)【特許請求の範囲】
【請求項１】
前面を開口し、天面に第１の吹出口を有した本体ケースと、前記本体ケースの前記前面の開口を前方から覆い、前記本体ケースとの間に前記開口に連通する吸気口を形成するフロントパネルと、前記吸気口と前記第１の吹出口とを連通する前記本体ケース内の第１の通風路に設けた送風手段、および、この送風手段の上流側に設けた空気清浄手段とを備えた空気清浄装置であって、前記送風手段の吐出口から前記第１の吹出口までの吹出風路に、高電圧が印加される放電極と、前記放電極に対向して設けた対向電極と、冷却部と放熱部を設けた熱交換部とからなる静電霧化手段を配設し、前記第１の吹出口を開閉する第１の開閉手段を設けるとともに、前記本体ケースの前面側に第２の通風路を介して前記吹出風路と連通する第２の吹出口を設け、前記第１の吹出口の前記第１の開閉手段による開放時に、前記第１の通風路を経て前記第１の吹出口から室内へ吹き出す天面側吹出モードと、前記第１の吹出口の前記第１の開閉手段による閉鎖時に、前記第２の通風路を経て前記第２の吹出口から室内へ吹き出す前面側吹出モードとを備え、前記第２の吹出口は、前記本体ケースの前面側上部に設け、前記本体ケース内を清浄にする本体内クリーン運転モードを備え、前記本体内クリーン運転モードでは、前記第１の開閉手段により前記第１の吹出口を閉鎖するとともに、前記第２の吹出口から前記空気清浄手段側へ通風する構成としたことを特徴とする空気清浄装置。
【請求項２】
前記本体内クリーン運転モードでは、前記フロントパネルを上方または下方、かつ前方に移動して、その内側面を前記第２の吹出口に対し離隔して対向させる構成としたことを特徴とする請求項１に記載の空気清浄装置。
【請求項３】
前記フロントパネルは、内側面の中央側が凹状となって上下方向に湾曲していることを特徴とする請求項１または２に記載の空気清浄装置。
【請求項４】
前記送風手段の吸込口は、その中心が空気清浄手段の吸込面の中心より下方に位置することを特徴とする請求項１〜３のいずれかに記載の空気清浄装置。
【請求項５】
前記第１の通風路における空気清浄手段と送風手段との間に加湿手段を設けたことを特徴とする請求項１〜４のいずれかに記載の空気清浄装置。
【請求項６】
前記加湿手段は、給水タンクと、前記給水タンクから給水されて一定水位の水を貯える貯水ケース部と、前記貯水ケース部内の水に下部が浸漬されて回転する加湿フィルター部とから構成され、前記貯水ケース部内と前記第１の通風路とが連通していることを特徴とする請求項５に記載の空気清浄装置。
【請求項７】
前記第２の通風路における前記第２の吹出口より上流側と、前記第１の通風路における前記空気清浄手段と加湿手段との間とを連通する連通開口を設けたことを特徴とする請求項５または６に記載の空気清浄装置。
【請求項８】
前記連通開口と前記送風手段の吸込口とを前記加湿手段を介さずに連通する第３の通風路を設けたことを特徴とする請求項７に記載の空気清浄装置。
【請求項９】
前記空気清浄手段の下流側に脱臭手段を設け、前記加湿フィルター部を、その通風面を前記脱臭手段に対向させるとともに、前記通風面に中心側から外周側へ延びる複数のフィンを設け、前記送風手段および静電霧化手段は間欠運転し、前記加湿フィルター部は連続運転して回転する構成としたことを特徴とする請求項６〜８のいずれかに記載の空気清浄装置。
【請求項１０】
前記本体内クリーン運転モードは、前記天面側吹出モードまたは前面側吹出モードの運転停止後に、所定の時間自動運転されることを特徴とする請求項１〜９のいずれかに記載の空気清浄装置。
【請求項１１】
前記本体内クリーン運転モードは、前記天面側吹出モードまたは前面側吹出モードの運転中に所定の間隔で自動運転が繰り返されることを特徴とする請求項１〜９のいずれかに記載の空気清浄装置。
【請求項１２】
清浄する室内の空気の汚れをセンシングするセンサーを備え、前記センサーにて汚れを検知しているときは前記天面側吹出モードまたは前面側吹出モードの運転をし、前記センサーにて汚れを検知していないときには前記体内クリーン運転モードに自動的に切り替えて運転をすることを特徴とする請求項１〜９のいずれかにに記載の空気清浄装置。
【発明の詳細な説明】
【技術分野】
【０００１】
本発明は、室内空気を浄化する空気清浄装置に関するものである。
【背景技術】
【０００２】
従来より、この種の空気清浄装置として、例えば特許文献１に開示されたように、本体を床上に置いて運転するものが知られている。
【０００３】
特許文献１に記載の空気清浄装置は、内部に空気清浄手段と送風手段とを備えた本体の前面側下部と側面に吸込口を設けるとともに、天面に吹出口を設けて構成されている。
【０００４】
そして、床上に置かれた本体の下部側から送風手段によって室内の空気を吸い込み、吸い込んだ空気を空気清浄手段によって浄化して天面側から吹き出し、吹き出した空気をふたたび本体内に吸い込み、このようにして、本体と室内空間とにおいて空気を循環しながら室内空気を浄化していくものであった。
【先行技術文献】
【特許文献】
【０００５】
【特許文献１】特開２００８−３６４６６号公報
【発明の概要】
【発明が解決しようとする課題】
【０００６】
このような従来の空気清浄装置では、床上に置かれた本体から空気ができるだけ遠くまで届くように、本体の天面側から上方へ吹き出し、吹き出された空気を本体の下部側から吸い込んでいるので、室内空間の全体にわたって空気を循環させて浄化することができる。
【０００７】
しかし、室内空間に浮遊する花粉等の粒径の大きい粉塵は、循環空気により浄化し切れなかったものが降下していって床面付近で浮遊し、また、床に敷いたカーペット等にはダニの糞や死骸が堆積していることがあり、床面付近の空気の浄化には長時間の清浄運転が必要であるという課題があった。
【０００８】
そこで、本発明は、上記従来の課題を解決して、室内空間全体にわたって空気を浄化することができるとともに、汚染度が上方に比べて高い床面付近の空気浄化を効率的に行うことができる空気清浄装置を提供することを目的とする。
【課題を解決するための手段】
【０００９】
そして、この目的を達成するために、本発明の空気清浄装置は、前面を開口し、天面に第１の吹出口を有した本体ケースと、前記本体ケースの前記前面の開口を前方から覆い、前記本体ケースとの間に前記開口に連通する吸気口を形成するフロントパネルと、前記吸気口と前記第１の吹出口とを連通する前記本体ケース内の第１の通風路に設けた送風手段、および、この送風手段の上流側に設けた空気清浄手段とを備えた空気清浄装置であって、前記送風手段の吐出口から前記第１の吹出口までの吹出風路に、高電圧が印加される放電極と、前記放電極に対向して設けた対向電極と、冷却部と放熱部を設けた熱交換部とからなる静電霧化手段を配設し、前記第１の吹出口を開閉する第１の開閉手段を設けるとともに、前記本体ケースの前面側に第２の通風路を介して前記吹出風路と連通する第２の吹出口を設け、前記第１の吹出口の前記第１の開閉手段による開放時に、前記第１の通風路を経て前記第１の吹出口から室内へ吹き出す天面側吹出モードと、前記第１の吹出口の前記第１の開閉手段による閉鎖時に、前記第２の通風路を経て前記第２の吹出口から室内へ吹き出す前面側吹出モードとを備え、前記第２の吹出口は、前記本体ケースの前面側上部に設け、前記本体ケース内を清浄にする本体内クリーン運転モードを備え、前記本体内クリーン運転モードでは、前記第１の開閉手段により前記第１の吹出口を閉鎖するとともに、前記第２の吹出口から前記空気清浄手段側へ通風する構成としたものである。
【発明の効果】
【００１０】
本発明によれば、静電霧化手段により発生した帯電微細水滴を含んだ空気を、本体ケースの天面の第１の吹出口から室内に吹き出す天面側吹き出しモードの運転によって、室内全体にわたり、従来のフィルター等のみの浄化に加えて、ウイルス・カビ菌の抑制および付着臭の脱臭も行う空気の浄化をすることができ、汚染度が上方に比べて高い床面付近の浄化を重点的にする場合には、本体ケースの前面側の第２の吹出口から室内へ帯電微細水滴を含んだ空気を室内に吹き出す前面側吹出モードの運転に切り替え、床面付近の浄化を効率的に行うことができ、第２の吹出口から吹き出された空気は、第２の吹出口の位置が上方になるほど到達する距離が長くなり、浄化する床面の面積を増加させることができ、本体内クリーン運転モードに切り替えると、第１の吹出口が閉鎖され、送風手段から吐出された空気が静電霧化手段と第２の通風路を経て第２の吹出口から空気清浄手段側へ通風され、通風された空気は送風手段に吸い込まれて再び吐出され、このように本体ケース内に帯電微細水滴を含んだ空気が循環して、本体ケース内を清浄にすることができる。
【図面の簡単な説明】
【００１１】
【図１】本発明の実施の形態１の空気清浄装置を示す斜視図
【図２】同空気清浄装置の天面側吹出モードを示す断面図
【図３】同空気清浄装置の前面側吹出モードを示す断面図
【図４】同空気清浄装置の本体内クリーン運転モードを示す断面図
【発明を実施するための形態】
【００２０】
本発明の請求項１記載の空気清浄装置は、前面を開口し、天面に第１の吹出口を有した本体ケースと、前記本体ケースの前記前面の開口を前方から覆い、前記本体ケースとの間に前記開口に連通する吸気口を形成するフロントパネルと、前記吸気口と前記第１の吹出口とを連通する前記本体ケース内の第１の通風路に設けた送風手段、および、この送風手段の上流側に設けた空気清浄手段とを備えた空気清浄装置であって、前記送風手段の吐出口から前記第１の吹出口までの吹出風路に、高電圧が印加される放電極と、前記放電極に対向して設けた対向電極と、冷却部と放熱部を設けた熱交換部とからなる静電霧化手段を配設し、前記第１の吹出口を開閉する第１の開閉手段を設けるとともに、前記本体ケースの前面側に第２の通風路を介して前記吹出風路と連通する第２の吹出口を設け、前記第１の吹出口の前記第１の開閉手段による開放時に、前記第１の通風路を経て前記第１の吹出口から室内へ吹き出す天面側吹出モードと、前記第１の吹出口の前記第１の開閉手段による閉鎖時に、前記第２の通風路を経て前記第２の吹出口から室内へ吹き出す前面側吹出モードとを備えたものであり、天面側吹出モードの運転時に、第１の開閉手段によって本体ケース天面の第１の吹出口を開放状態にして、第１の吹出口から静電霧化手段により発生した帯電微細水滴を含んだ空気を吹き出し、前面側吹出モードの運転時に、第１の吹出開口を閉鎖状態にして、本体ケースの前面側の第２の吹出口から帯電微細水滴を含んだ空気を吹き出し、これら天面側吹出モード、前面側吹出モードの２モードの運転を切り替えることによって、室内空間全体にわたって空気を浄化することと、床面付近を重点的に浄化することとが可能になる、という効果を奏し、前記第２の吹出口は、前記本体ケースの前面側上部に設けられたものであり、第２の吹出口から吹き出された空気は、第２の吹出口の位置が上方になるほど到達する距離が長くなり、浄化する床面の面積を増加させることができ、前記本体ケース内を清浄にする本体内クリーン運転モードを備え、前記本体内クリーン運転モードでは、前記第１の開閉手段により前記第１の吹出口を閉鎖するとともに、前記第２の吹出口から前記空気清浄手段側へ通風する構成としたものであり、本体内クリーン運転モードに切り替えると、第１の吹出口が閉鎖され、送風手段から吐出された空気が静電霧化手段と第２の通風路を経て第２の吹出口から空気清浄手段側へ通風され、通風された空気は送風手段に吸い込まれて再び吐出され、このように本体ケース内に帯電微細水滴を含んだ空気が循環して、本体ケース内を清浄にすることができる。
【００２１】
また、請求項２記載の空気清浄装置は、請求項１に記載の空気清浄装置において、前記本体内クリーン運転モードでは、前記フロントパネルを上方または下方、かつ前方に移動して、その内側面を前記第２の吹出口に対し離隔して対向させる構成としたものであり、本体内クリーン運転モード時にフロントパネルを上記移動をすることにより、循環流形成用の開閉手段や通風路を別途設けることなく、本体ケース内に循環空気流を形成することができる。
【００２２】
また、請求項３記載の空気清浄装置は、請求項１または２に記載の空気清浄装置において、前記フロントパネルは、内側面の中央側が凹状となって上下方向に湾曲しているものであり、本体内クリーン運転モード時に第２吹出口から吹き出される循環空気流は、フロントパネルの湾曲に沿い空気清浄手段との間の空間が広くなっていく中央側に流れやすくなり、循環空気流がスムーズに形成されることとなる。
【００２３】
また、請求項４記載の空気清浄装置は、請求項１〜３のいずれかに記載の空気清浄装置において、前記送風手段の吸込口は、その中心が空気清浄手段の吸込面の中心より下方に位置するものであり、本体ケースの前面側上部に設けられた第２の吹出口から吹き出された循環空気流は、空気清浄手段の吸込面の中心より下方にその吸込口が位置する送風手段に吸い込まれるので、空気清浄手段の下部の吸込面まで広く通過し、空気清浄手段における清浄性が向上することとなる。
【００２４】
また、請求項５記載の空気清浄装置は、請求項１〜４のいずれかに記載の空気清浄装置において、前記第１の通風路における空気清浄手段と送風手段との間に加湿手段を設けたものであり、浄化した空気を加湿することのできる加湿機能付の空気清浄装置における加湿手段も、本体内クリーン運転モードによって清浄にすることができる。
【００２５】
また、請求項６記載の空気清浄装置は、請求項５に記載の空気清浄装置において、前記加湿手段は、給水タンクと、前記給水タンクから給水されて一定水位の水を貯える貯水ケース部と、前記貯水ケース部内の水に下部が浸漬されて回転する加湿フィルター部とから構成され、前記貯水ケース部内と前記第１の通風路とが連通しているものであり、加湿フィルター部に浸透するように貯水ケース部に貯えられる水が、循環空気流に触れることとなるので、この水を清浄にして加湿フィルター部の汚染を低減させることができることとなる。
【００２６】
また、請求項７記載の空気清浄装置は、請求項５または６に記載の空気清浄装置において、前記第２の通風路における前記第２の吹出口より上流側と、前記第１の通風路における前記空気清浄手段と加湿手段との間とを連通する連通開口を設けたものであり、第２の吹出開口へ到達する前に連通開口から加湿手段の上流側に流れていく循環空気流も形成されるので、加湿手段における清浄性が向上する。
【００２７】
また、請求項８記載の空気清浄装置は、請求項７に記載の空気清浄装置において、前記連通開口と前記送風手段の吸込口とを前記加湿手段を介さずに連通する第３の通風路を設けたものであり、空気清浄手段および加湿手段を通過せずに送風手段に流れていく循環空気流も形成されるので、送風手段の清浄性も向上させることができる。
【００２８】
また、請求項９記載の空気清浄装置は、請求項６〜８のいずれかに記載の空気清浄装置において、前記空気清浄手段の下流側に脱臭手段を設け、前記加湿フィルター部を、その通風面を前記脱臭手段に対向させるとともに、前記通風面に中心側から外周側へ延びる複数のフィンを設け、前記送風手段および静電霧化手段は間欠運転し、前記加湿フィルター部は連続運転して回転する構成としたものであり、送風手段および静電霧化手段の間欠運転における停止時に、加湿フィルター部は連続運転して、加湿フィルター部の脱臭手段に対向する通風面に設けたフィンの回転によって、脱臭手段との間の空間の空気が残存して滞留している帯電微細水滴とともに攪拌され、脱臭手段が再生される。
【００２９】
また、請求項１０記載の空気清浄装置は、請求項１〜９のいずれかに記載の空気清浄装置において、前記本体内クリーン運転モードは、前記天面側吹出モードまたは前面側吹出モードの運転停止後に、所定の時間自動運転されるものであり、室内空気の浄化をする運転ごとに、その運転の停止後に本体内のクリーン運転が行われ、本体ケース内を清浄な状態に維持することができる。
【００３０】
また、請求項１１記載の空気清浄装置は、請求項１〜９のいずれかに記載の空気清浄装置において、前記本体内クリーン運転モードは、前記天面側吹出モードまたは前面側吹出モードの運転中に所定の間隔で自動運転が繰り返されるものであり、室内空気の浄化をする運転中に、本体内のクリーン運転が所定の間隔で挿入してなされ、本体内クリーンのための遅延運転が不要となる。
【００３１】
また、請求項１２記載の空気清浄装置は、請求項１〜９のいずれかに記載の空気清浄装置において、清浄する室内の空気の汚れをセンシングするセンサーを備え、前記センサーにて汚れを検知しているときは前記天面側吹出モードまたは前面側吹出モードの運転をし、前記センサーにて汚れを検知していないときには前記体内クリーン運転モードに自動的に切り替えて運転をするものであり、室内空気を浄化する運転が不要なときに、本体内のクリーン運転を自動的に切り替えて行い、空気清浄装置を効率的に運転することができる。
【００３２】
以下、本発明の実施の形態について、図１〜図４を参照しながら説明する。
【００３３】
（実施の形態１）
図１および図２に示すように、本発明の実施の形態１の空気清浄装置は、天面に第１の吹出口１を有し前面を開口した縦長箱形状の本体ケース２と、本体ケース２の前面の開口を、所定の間隔を有して前方から覆い取り付けられるフロントパネル３とによって外郭を形成している。第１の吹出口１は第１の開閉手段４によって開閉され、また、フロントパネル３が本体ケース２と所定の間隔を有していることから、本体ケース２とフロントパネル３との間の下部に下部吸気口５を、側部に側部吸気口６を、それぞれ本体ケース２の前面の開口に連通させて形成している。
【００３４】
フロントパネル３は、その上部２箇所に設けられた回動支点７に連結回動板８の一端が回動自在に取り付けられ、連結回動板８の他端が本体ケース２内に設けられた駆動手段（図示せず）に連結されるとともに、下部が本体ケース２前面に対し上下および前方に移動自在に連結されている。そして、フロントパネル３は、連結回動板８が駆動手段によって上方向に回動されると、連結回動板８が水平になる位置までは前方に移動しながら、すなわち本体ケース２から離れていきながら、上方に移動し、その位置を過ぎると後方へ、すなわち本体ケース２に近づく方向に移動していく。また、フロントパネル３が上方の位置にあるときに連結回動板８が上記と逆の方向へ回動されると、フロントパネル３は、前方へ移動しながら下方へ移動し、さらに、後方へ移動しながら下方へ移動する。
【００３５】
このようにフロントパネル３を移動させることにより、下部吸気口５および側部吸気口６の開口面積を変えて調節することができる。なお、フロントパネル３が最下点に位置するときも、下部吸気口５および側部吸気口６は小さいながらも形成される。
【００３６】
また、本体ケース２内には、下部吸気口５および側部吸気口６と第１の吹出口１とを連通する第１の通風路９を形成し、第１の通風路９における始点である本体ケース２の前面の開口にその吸込面を位置させて空気清浄手段１０を配設し、この空気清浄手段１０を上流側として、下流側に脱臭手段１１、加湿手段１２、送風手段１３の順に配設している。ここで、第１の通風路９のうち、送風手段１３の吐出口から第１の吹出口１までを吹出風路９ａと称する。
【００３７】
そして、本体ケース２の前面の開口の上部で空気清浄手段１０の上方位置に第２の吹出口１４を設け、第２の吹出口１４と吹出風路９ａとを連通する第２の通風路１５を形成している。
【００３８】
第２の通風路１５は、吹出風路９ａに対して直交する方向に形成され、その形状は、前方から正面視したとき、縦断面形状が扁平な横長四角形をしている。
【００３９】
第２の通風路１５は、このような構成により、空気清浄手段１０の上方に、吹出風路９ａと第２の吹出口１４との間を直線状に最短距離で、かつ、本体ケース２の高さを大きく増すことなく、形成することができる。
【００４０】
また、吹出風路９ａにおける第２の通風路１５と連通する連結口より上流側に、高電圧が印加される放電極と、放電極に対向して設けた対向電極と、冷却部と放熱部を設けた熱交換部とからなり、冷却部で放電極を冷却して放電極に空気中の水分を付着させ、付着した水分に高電圧をかけて帯電微細水滴を発生させる静電霧化手段１６を配設している。
【００４１】
そして、上記構成の空気清浄装置は、本体ケース２の天面の第１の吹出口１から室内の斜め上方へ空気を吹き出す天面側吹出モードと、本体ケース２の前面側の第２の吹出口１４から室内に向かって前方へ吹き出す前面側吹出モードとを備えている。
【００４２】
以下、天面側吹出モードと前面側吹出モードの運転について説明する。
【００４３】
天面側吹出モードで運転する場合は、第１の開閉手段４を開放状態にして第１の吹出口１を開口し、送風手段１３と静電霧化手段１６に通電して、室内空気を下部吸気口５と側部吸気口６から吸気し、空気清浄手段１０、脱臭手段１１および加湿手段１２を通過させ、さらに静電霧化手段１６を経て、帯電微細水滴を含んだ空気を本体ケース２天面の第１の吹出口１から室内の斜め上方に向かって吹き出す。吹き出された空気は、対向する壁面付近まで流れていき、下部吸気口５および側部吸気口６による吸引により室内空間の下方へまわり込んで本体ケース２内に吸気される。吸気された空気はふたたび第１の吹出口１から吹き出されて、室内と本体ケース２内との間を循環する。この循環する空気流によって室内空間は浄化されていく。
【００４４】
また、天面側吹出モードでは、第２の吹出口１４から吹き出されないので、フロントパネル３を前方へ移動しながら上方へ移動して、下部吸気口５と側部吸気口６の間の開口面積を大きくし、吹出風量の増大に寄与することができる。
【００４５】
このように、天面側吹出モードでは、循環空気流が室内空間を広く流れ、室内空間全体にわたって浄化することができ、さらに、循環空気流には帯電微細水滴が含まれているので、従来からのフィルター等による空気浄化に加えて、ウイルス、カビ菌、付着臭に対しても抑制、脱臭等の作用（以下、この帯電微細水滴による作用を帯電微細水滴クリーン作用という）を奏し、空気清浄性が大幅に向上する。
【００４６】
ところで、吹出風路９ａと第２の通風路１５との連結口は、開閉手段を設けず常に開口していても、送風手段１３の吐出口から第１の吹出口１へ直進する吹出風路９ａに、第２の通風路１５は直交する方向に形成されているので、天面側吹出モードにおいて第２の通風路１５から空気が誘引されることはほとんどない。
【００４７】
なお、本実施の形態１では、連結口に、第１の開閉手段４の作動に連動して、第１の開閉手段４の開放時に閉鎖、閉鎖時に開放する第２の開閉手段１７を設けているので、天面側吹出モードの運転時に第２の通風路１５からの誘引を確実になくすことができる。
【００４８】
そして、室内空間に浮遊している粒径の大きい粉塵等が降下していき床面付近の汚染度が高くなった場合（所定の時刻・時間を設定、または汚染度のセンシング等による）に、または、床面にダニの糞や死骸が堆積している場合に、前面側吹出モードの運転に切り替えると、図３に示すように、フロントパネル３は最下点または第２の吹出口１４を塞がない位置で、第１の吹出口１が第１の開閉手段４によって閉鎖される。なお、このとき、フロントパネル３と本体ケース２との間の上部側は閉鎖されて吸気口を形成しない。
【００４９】
第１の吹出口１が閉鎖されると、吹出風路９ａに通風される空気は、第２の通風路１５を通って第２の吹出口１４から室内に向かって前方へ吹き出される。吹き出された空気は、第２の通風路１５が本体ケース２の前面の開口の上部位置において吹出風路９ａに対し直交する方向に形成されているので、その先端の第２の吹出口１４から水平方向に遠くまで流れていくとともに、第２の通風路１５は縦断面形状が横長四角形状であるので、その先端の第２の吹出口１４の形状も横長四角形状となって、幅広い空気流として室内に吹き出される。さらに、第２の吹出口１４に近いフロントパネル３と本体ケース２との間の上部側には吸気口が形成されないので、第２の吹出口１４から吹き出された空気がショートサーキットを起こしてそのまま吸気口から吸気されることがない。
【００５０】
このように、前面側吹出モードの運転をすると、室内空間の上方側より汚染度が高くなった床面付近に、広く、かつ集中的に帯電微細水滴を含んだ循環空気流を形成して、床面付近の帯電微細水滴クリーン作用を重点的にさせることができる。
【００５１】
そして、本実施の形態１の空気清浄装置は、さらに本体内クリーン運転モードを備えている。
【００５２】
以下、上記にて説明した構成以外の本体内クリーン運転モードに係る構成について、図４を参照しながら説明する。
【００５３】
フロントパネル３は、上述のように前方または後方へ移動しながら上方または下方へ移動する回動操作をすることができるが、本体内クリーン運転モード時には、フロントパネル３は前方へ移動しながら上方へ移動し、その内側面で第２の吹出口１４の前方を塞ぐ位置で停止する。
【００５４】
上記のフロントパネル３が停止した状態では、その内側面と空気清浄手段１０との間に第２の吹出口１４から空気清浄手段１０の吸込面に連通する連通空間が形成される。さらに、フロントパネル３の内側面は中央側が凹状となって上下方向に湾曲しており、第２の吹出口１４から吹き出された空気は湾曲した形状に沿って内方へ流れやすくなる。
【００５５】
また、空気清浄手段１０の下流側に位置する送風手段１３は、その吸込口の中心が空気清浄手段１０の吸込面の中心より下方に位置するように配設されている。
【００５６】
また、空気清浄手段１０の下流側で送風手段１３の上流側に位置する加湿手段１２は、上方が開口し水を貯える貯水ケース部１８と、貯水ケース部１８に一定水位の水を給水する給水タンク１９（図１参照）と、円板状の加湿フィルター２０を内包し一側面に吸込側通風面と他側面に吐出側通風面を有し、外周部に汲水部２１を備えた円環状の加湿フィルター枠２２からなる加湿フィルター部とからなり、加湿フィルター部は、加湿フィルター２０の外周部の一部が貯水ケース部１８内の水に浸漬された状態で、図示しない駆動モーターによって低速度で回転され、回転するときに汲水部２１が貯水ケース部１８内の水を汲んで高い位置になると加湿フィルター２０にその水を注ぐ構成となっている。このようにして加湿フィルター２０は貯水ケース部１８内の水を十分に含んだ状態に置かれている。
【００５７】
そして、貯水ケース部１８内と第１の通風路９とは連通している、すなわち、貯水ケース部１８に貯えられた水は第１の通風路９の通風に常に触れる構成となっている。
【００５８】
また、空気清浄手段１０の下流側に位置させる脱臭手段１１を空気清浄手段１０の吐出面に隣接して設けるとともに、加湿フィルター枠２２を、その吸込側通風面に中心側から外周側へ放射状に延びる複数のフィン２３を設けて、吸込側通風面が脱臭手段１１に対向するように構成している。
【００５９】
一方、第２の通風路１５には、第２の吹出口１４に至る前に第１の通風路９における空気清浄手段１０・脱臭手段１１と加湿手段１２との間に通風される連通開口２４を設け、さらに、連通開口２４から加湿手段を介さずに送風手段１３の吸込口に連通して通風する第３の通風路２５を設けている。
【００６０】
次に上記構成の空気清浄装置における本体内クリーン運転モードの運転について説明する。
【００６１】
運転を開始すると、第１の開閉手段４によって第１の吹出口１が閉鎖されるとともに、フロントパネル３が、その内側面を第２の吹出口１４に対向させて前方を塞ぐ位置に移動する。
【００６２】
そして、送風手段１３から吐出され静電霧化手段１６から発生する帯電微細水滴を含んだ空気が第２の通風路１５を流れ、第２の吹出口１４に至ると、フロントパネル３の内側面に前進を遮られて湾曲形状の内側面に沿いながら内方に流れていく。この通風において、フロントパネル３と空気清浄手段１０の吸込面との間の空間はフロントパネル３の湾曲状によって中央側が広くなっているので、中央側への流れが良好になり、しかも、送風手段１３は、その吸込口の中心が空気清浄手段１０の吸込面の中心より下方に位置するので、空気清浄手段１０の吸込面の下部側からも吸い込まれて、吸込面の広い範囲にわたって吸い込まれることとなり、空気清浄手段１０の清浄性が向上する。
【００６３】
そして、帯電微細水滴を含んだ空気が空気清浄手段１０と脱臭手段１１を通過すると、通過する際に、天面側吹出モードおよび前面側吹出モードの運転時にこれら空気清浄手段１０と脱臭手段１１に付着したウイルス、カビ菌または臭い等に対して帯電微細水滴クリーン作用をなすこととなる。
【００６４】
ところで、脱臭手段１１を通過した空気に残存する帯電微細水滴は、加湿手段１２において帯電微細水滴クリーン作用をなすが、帯電微細水滴は空気清浄手段１０および脱臭手段１１において多くが使われるので、加湿手段１２での作用が低減する。
【００６５】
そこで加湿手段１２には、第２の通風路１５から、空気清浄手段１０・脱臭手段１１を通過せずに連通開口２４から直接流れてくる通風が形成される。この通風によって、加湿手段１２における帯電微細水滴クリーン作用が十分に生じることとなる。
【００６６】
そして、加湿手段１２においては、貯水ケース部１８内の水が第１の通風路９の通風に触れているので、加湿運転を継続することによって汚れてくる加湿フィルター２０および加湿フィルター２０が浸漬している貯水ケース部１８内の水が浄化される。
【００６７】
そして、さらに下流に位置する送風手段１３には、第２の通風路１５の連通開口２４から加湿手段１２を通らずに第３の通風路２５を通って直接流れてくる通風が形成される。
【００６８】
この通風によって、送風手段１３における帯電微細水滴クリーン作用が十分になされることとなる。
【００６９】
そして、送風手段１３に吸い込まれた空気は、ふたたび第２の通風路１５に通風されて本体ケース２内を循環する。
【００７０】
このように本体ケース２内を帯電微細水滴が含んだ空気を循環させることによって、本体ケース２内を帯電微細水滴クリーン作用によって清浄にすることができる。
【００７１】
また、本体内クリーン運転モードでは、送風手段１３と静電霧化手段１６を間欠運転し、加湿フィルター部を連続運転するように設定しており、送風手段１３と静電霧化手段１６の間欠運転における停止時に加湿フィルター部が連続運転して、加湿フィルター枠２２の吸込側通風面に設けたフィン２３の回転により、脱臭手段１１との間の空気が、残存して滞留している帯電微細水滴とともに攪拌され、脱臭手段１１が帯電微細水滴によって再生されていくこととなる。
【００７２】
次に、天面側吹出モードおよび前面側吹出モード（以下、室内クリーン運転モードという）に対する本体内クリーン運転モードの運転について説明する。
【００７３】
本体内クリーン運転モードは、室内クリーン運転モードを停止すると自動的に運転が開始され、所定時間のＴ１分運転した後に停止する。
【００７４】
上記運転により、室内クリーン運転モードの運転ごとに、その運転の停止後に自動的に本体内のクリーン運転が行われるので、使用者が意識して操作しなくても本体ケース２内を清浄な状態に維持することができる。
【００７５】
（実施の形態２）
本発明の実施の形態２の空気清浄装置は、上記実施の形態１の空気清浄装置に対して、室内クリーン運転モードに対する本体内クリーン運転モードの運転が、室内クリーン運転モードの運転中に所定の間隔で自動運転を繰り返す点が相違する。
【００７６】
すなわち、室内クリーン運転モードの運転中に、本体内クリーン運転モードの運転に自動的に切り替わり、所定時間のＴ２分運転した後、ふたたび室内クリーン運転モードの運転に戻り、所定時間のＴ３分が経過すると本体内クリーン運転モードに切り替わる。
【００７７】
このように、室内クリーン運転モードの運転中に、所定時間のＴ３分の間隔をおいて本体内クリーン運転モードの運転をＴ２分繰り返し行うことによって、本体内クリーンのための遅延運転がなくなり、本来の室内空間の清浄運転をするだけの感覚で本体ケース２内の清浄も行うことができる。
【００７８】
（実施の形態３）
本発明の実施の形態３の空気清浄装置は、上記実施の形態１の空気清浄装置に対して、室内空気の汚れをセンシングするセンサーを備え、室内クリーン運転モードに対する本体内クリーン運転モードの運転が、センサーで汚れを検知しているときは室内クリーン運転モードの運転をし、センサーで汚れを検知していないときに本体内クリーン運転モードに自動的に切り替えて運転する点が相違する。
【００７９】
上記運転により、室内空気を清浄にする運転が不要なときに、本体ケース２内を清浄にする運転モードに自動的に切り替えて運転するので、室内空間の清浄と本体ケース２内の清浄とを合わせた運転を効率的に行うことができる。
【産業上の利用可能性】
【００８０】
本発明に係る空気清浄装置は、帯電微細水滴を含んだ空気を、本体ケースの天面の吹出口から室内に吹き出し、室内全体にわたり、従来のフィルター等のみの浄化に加えて、ウイルス・カビ菌の抑制および付着臭の脱臭も行うことができる天面側吹出モードと、本体ケースの前面側の吹出口から室内へ帯電微細水滴を含んだ空気を室内に吹き出し、汚染度が上方に比べて高い床面付近の浄化を重点的かつ効率的に行うことができる前面側吹出モードとに運転を切り替えることができ、本体を床面に置いて運転する空気清浄装置として広く有用である。
【符号の説明】
【００８１】
１    第１の吹出口
２    本体ケース
３    フロントパネル
４    第１の開閉手段
９    第１の通風路
９ａ  吹出風路
１０  空気清浄手段
１１  脱臭手段
１２  加湿手段
１３  送風手段
１４  第２の吹出口
１５  第２の通風路
１６  静電霧化手段
１７  第２の開閉手段
１８  貯水ケース部
１９  給水タンク
２０  加湿フィルター
２３  フィン
２４  連通開口
２５  第３の通風路
【図１】
0005556341.tif 000002
【図２】
0005556341.tif 000003
【図３】
0005556341.tif 000004
【図４】
0005556341.tif 000005